(57)【特許請求の範囲】
【請求項１】
板状接続対象物と他の接続対象物とを電気的に接続するコネクタにおいて、
前記板状接続対象物が収容される板状接続対象物収容部を形成するフレーム部を有するホルダと、
前記他の接続対象物に実装され、前記ホルダを収容するホルダ収容部を有するコネクタ本体とを備え、
前記コネクタ本体は、ハウジングと、前記ハウジングに保持されるコンタクトとを有し、
前記コンタクトは、
前記他の接続対象物に接続される接続部と、
前記ホルダ収容部内に突出し、前記ホルダ収容部に前記ホルダが収容されているとき前記板状接続対象物収容部内の前記板状接続対象物に接触する接触部とを有し、
前記ホルダを前記ホルダ収容部に挿入したり前記ホルダ収容部から引き抜いたりしたときの前記接触部の変形を抑制する変形抑制部が、前記フレーム部に設けられている
ことを特徴とするコネクタ。
【請求項２】
前記変形抑制部が、前記ホルダ収容部に前記ホルダを挿入するホルダ挿入方向において前記フレーム部の前側に設けられている
ことを特徴とする請求項１記載のコネクタ。
【請求項３】
前記変形抑制部が、前記ホルダ収容部に前記ホルダを挿入するホルダ挿入方向において前記フレーム部の前側と後側とに設けられている
ことを特徴とする請求項１記載のコネクタ。
【請求項４】
前記変形抑制部が、前記フレーム部の表面及び裏面に設けられている
ことを特徴とする請求項１〜３のいずれか１項記載のコネクタ。
【請求項５】
前記変形抑制部が、前記ホルダ収容部に前記フレーム部を挿入するホルダ挿入方向において前記フレーム部の前後方向、左右方向へ傾斜する傾斜部である
ことを特徴とする請求項１〜４のいずれか１項記載のコネクタ。
【請求項６】
前記変形抑制部が、前記ホルダ収容部に前記フレーム部を挿入するホルダ挿入方向において前記フレーム部の前後方向、左右方向へ傾斜する傾斜部と、前記前後方向へ延びる半円形の溝部とである
ことを特徴とする請求項１〜４のいずれか１項記載のコネクタ。
【請求項７】
前記ホルダは、
前記板状接続対象物収容部内の前記板状接続対象物を前記フレーム部の内周面に押し付けて前記板状接続対象物を支持するばね部を有する
ことを特徴とする請求項１〜６のいずれか１項記載のコネクタ。
【請求項８】
前記ばね部が板状であり、
前記ばね部の自由端側に、前記板状接続対象物収容部に前記板状接続対象物が斜めに収容された場合に、前記板状接続対象物を前記板状接続対象物収容部の外へガイドするばね部側傾斜部が、設けられている
ことを特徴とする請求項７のコネクタ。
【請求項９】
前記ホルダは、
前記フレーム部に設けられ、前記板状接続対象物収容部内の前記板状接続対象物の周縁部を支持する支持部を有する
ことを特徴とする請求項１〜８のいずれか１項記載のコネクタ。
【請求項１０】
前記ホルダは、
前記フレーム部に設けられ、前記板状接続対象物収容部内の前記板状接続対象物と対向する底部を有する
ことを特徴とする請求項１〜８のいずれか１項記載のコネクタ。
【請求項１１】
前記ホルダは、
前記ホルダ挿入方向において前記フレーム部の後側に設けられ、前記フレーム部を前記ホルダ収容部に挿入したり前記ホルダ収容部から引き抜いたりするための操作部を有し、
前記フレーム部を前記ホルダ収容部から引き抜くための治具を引っ掛けるための凹部が、前記操作部の近傍に設けられている
ことを特徴とする請求項１〜１０のいずれか１項記載のコネクタ。
【発明の詳細な説明】
【技術分野】
【０００１】
この発明はコネクタに関し、例えばＳＩＭカード等の板状接続対象物用のコネクタに関する。
【背景技術】
【０００２】
従来、図４２〜図４４に示すように、ハウジング本体９０２とカードホルダ９０３とからなるカード用コネクタが知られている(下記特許文献１参照)。
【０００３】
なお、図４２〜図４４は下記特許文献１の図３、図５、図６にそれぞれ対応する。但し、図中の符号は変更され、一部の符号は削除されている。
【０００４】
合成樹脂製のハウジング本体９０２の平面９０４には、図４２に示すように、複数の接続端子９０５が取り付けられている。ハウジング本体９０２はプリント回路基板（図示せず）に実装される。接続端子９０５のコンタクト部９０６が平面９０４から突出している（図４３参照）。接続端子９０５のテール９０７（図４２参照）はプリント回路基板の接続パッド（図示せず）にはんだ付けされる。
【０００５】
図４２に示すように、複数の接続端子９０５の配列方向Ｄ１における平面９０４の両側には、それぞれ溝壁９１０が設けられている。２つの溝壁９１０にはそれぞれ溝９０９が設けられ、溝９０９同士が配列方向Ｄ１で対向している。一方の溝壁９１０には切欠部９１１Ａが設けられ、他方の溝壁９１０には切欠部９１１Ｂが設けられている。
【０００６】
図４４に示すように、カードホルダ９０３を真上から見た形状はほぼ方形である。カードホルダ９０３の裏面９１７にはカード収容部９１８が設けられている。
【０００７】
カードホルダ９０３の一辺には把持部９２３が設けられ、他の三辺にはそれぞれ縁部９２５Ａ、縁部９２５Ｂ、縁部９２５Ｃが設けられている。縁部９２５Ａには外側へ突出する係合突条９２７Ａが設けられ、縁部９２５Ｂには外側へ突出する係合突条９２７Ｂが設けられている。縁部９２５Ｂには、カード収容部９１８内へ突出する一対の片持ちビーム９２１で構成されるカード抑え９２２が設けられている。カード抑え９２２がカード（図示せず）を縁部９２５Ａに押し付けるので、カード収容部９１８が下向きになってもカードは脱落しない。
【０００８】
カードホルダ９０３をハウジング本体９０２に装填するには、まず、カードホルダ９０３の裏面９１７をハウジング本体９０２の平面９０４と対向させ、縁部９２５Ａの係合突条９２７Ａと溝壁９１０の切欠部９１１Ｂとを合わせるとともに、縁部９２５Ｂの係合突条９２７Ｂと溝壁９１０の切欠部９１１Ａとを合わせて、カードホルダ９０３の裏面９１７がハウジング本体９０２の平面９０４に接するようにカードホルダ９０３を落し込み、次に、カードホルダ９０３を矢印９３０の方向へ少しスライドさせればよい。その結果、カードの回路接点がハウジング本体９０２のコンタクト部９０６に接触し、カードとプリント回路基板とが電気的に接続される。
【先行技術文献】
【特許文献】
【０００９】
【特許文献１】特開平８−３２１３５３号公報（図３、図５、図６、段落００１３〜１６、段落００１８、段落００２０〜段落００２２等）
【発明の概要】
【発明が解決しようとする課題】
【００１０】
上述のようなトレイ型のカード用コネクタの他に、図示しない公知のカード用コネクタがある。このコネクタは、トレイ型カードホルダと、このホルダが収容されるカードホルダ収容部を有するコネクタ本体とを備え、コネクタ本体の前側に位置するホルダ挿入口からコネクタ本体の後側へ向かってカードをカードホルダ収容部に挿入する構造のカード用コネクタである。
【００１１】
近年、この種のカード用コネクタもいわゆる多芯化や小型化が進み、コンタクトの接触部の位置がホルダ挿入口に近くなった。
【００１２】
したがって、カードを保持していない状態のトレイ型カードホルダを左右に揺らしながらコネクタ本体のホルダ挿入口からカードホルダ収容部内に挿入すると、カードホルダ収容部内に突出しているコンタクトの接触部が、トレイ型カードホルダの前側部分によって塑性変形し、破損するおそれがある。
【００１３】
また、カードを保持していない状態のトレイ型カードホルダをコネクタ本体のカードホルダ収容部から引き抜くときも、カードホルダ収容部内に突出しているコンタクトの接触部が、トレイ型カードホルダの前側部分によって塑性変形し、破損するおそれがある。
【００１４】
この発明はこのような事情に鑑みてなされたもので、その課題は、ホルダのフレーム部をコネクタ本体のホルダ収容部に挿入したりホルダ収容部から引き抜いたりしたとき、フレーム部によるコンタクトの接触部の損傷を少なくすることである。
【課題を解決するための手段】
【００１５】
上述の課題を解決するため請求項１記載の発明は、板状接続対象物と他の接続対象物とを電気的に接続するコネクタにおいて、前記板状接続対象物が収容される板状接続対象物収容部を形成するフレーム部を有するホルダと、前記他の接続対象物に実装され、前記ホルダを収容するホルダ収容部を有するコネクタ本体とを備え、前記コネクタ本体は、ハウジングと、前記ハウジングに保持されるコンタクトとを有し、前記コンタクトは、前記他の接続対象物に接続される接続部と、前記ホルダ収容部内に突出し、前記ホルダ収容部に前記ホルダが収容されているとき前記板状接続対象物収容部内の前記板状接続対象物に接触する接触部とを有し、前記ホルダを前記ホルダ収容部に挿入したり前記ホルダ収容部から引き抜いたりしたときの前記接触部の変形を抑制する変形抑制部が、前記フレーム部に設けられていることを特徴とする。
【００１６】
請求項２記載の発明は、請求項１記載のコネクタにおいて、前記変形抑制部が、前記ホルダ収容部に前記ホルダを挿入するホルダ挿入方向において前記フレーム部の前側に設けられていることを特徴とする。
【００１７】
請求項３記載の発明は、請求項１記載のコネクタにおいて、前記変形抑制部が、前記ホルダ収容部に前記ホルダを挿入するホルダ挿入方向において前記フレーム部の前側と後側とに設けられていることを特徴とする。
【００１８】
請求項４記載の発明は、請求項１〜３のいずれか１項記載のコネクタにおいて、前記変形抑制部が、前記フレーム部の表面及び裏面に設けられていることを特徴とする。
【００１９】
請求項５記載の発明は、請求項１〜４のいずれか１項記載のコネクタにおいて、前記変形抑制部が、前記ホルダ収容部に前記フレーム部を挿入するホルダ挿入方向において前記フレーム部の前後方向、左右方向へ傾斜する傾斜部であることを特徴とする。
【００２０】
請求項６記載の発明は、請求項１〜４のいずれか１項記載のコネクタにおいて、前記変形抑制部が、前記ホルダ収容部に前記フレーム部を挿入するホルダ挿入方向において前記フレーム部の前後方向、左右方向へ傾斜する傾斜部と、前記前後方向へ延びる半円形の溝部とであることを特徴とする。
【００２１】
請求項７記載の発明は、請求項１〜６のいずれか１項記載のコネクタにおいて、前記ホルダは、前記板状接続対象物収容部内の前記板状接続対象物を前記フレーム部の内周面に押し付けて前記板状接続対象物を支持するばね部を有することを特徴とする。
【００２２】
請求項８記載の発明は、請求項７記載のコネクタにおいて、前記ばね部が板状であり、前記ばね部の自由端側に、前記板状接続対象物収容部に斜めに前記板状接続対象物が収容された場合に、前記板状接続対象物を前記板状接続対象物収容部の外へガイドするばね部側傾斜部が、設けられていることを特徴とする。
【００２３】
請求項９記載の発明は、請求項１〜８のいずれか１項記載のコネクタにおいて、前記ホルダは、前記フレーム部に設けられ、前記板状接続対象物収容部内の前記板状接続対象物の周縁部を支持する支持部を有することを特徴とする。
【００２４】
請求項１０記載の発明は、請求項１〜８のいずれか１項記載のコネクタにおいて、前記ホルダは、前記フレーム部に設けられ、前記板状接続対象物収容部内の前記板状接続対象物と対向する底部を有することを特徴とする。
【００２５】
請求項１１記載の発明は、請求項１〜１０のいずれか１項記載のコネクタにおいて、前記ホルダは、前記ホルダ挿入方向において前記フレーム部の後側に設けられ、前記フレーム部を前記ホルダ収容部に挿入したり前記ホルダ収容部から引き抜いたりするための操作部を有し、前記フレーム部を前記ホルダ収容部から引き抜くための治具を引っ掛けるための凹部が、前記操作部の近傍に設けられていることを特徴とする。
【発明の効果】
【００２６】
この発明によれば、ホルダのフレーム部をコネクタ本体のホルダ収容部に挿入したりホルダ収容部から引き抜いたりしたとき、フレーム部によるコンタクトの接触部の損傷を少なくすることができる。
【図面の簡単な説明】
【００２７】
【図１】この発明の第１実施形態に係るコネクタを斜め上方から見た斜視図であって、カードホルダをコネクタ本体のホルダ収容部に挿入する前の状態を示す図である。
【図２】図１のコネクタを斜め下方から見た斜視図であって、カードホルダをコネクタ本体のホルダ収容部に挿入する前の状態を示す図である。
【図３】図１のコネクタを斜め上方から見た斜視図であって、カードホルダをコネクタ本体のホルダ収容部に挿入した後の状態を示す図である。
【図４】図１のコネクタを斜め下方から見た斜視図であって、カードホルダをコネクタ本体のホルダ収容部に挿入した後の状態を示す図である。
【図５】図１のコネクタを真下から見た底面図であって、カードホルダをコネクタ本体のホルダ収容部に挿入する前の状態を示す図である。
【図６】図１のコネクタのカードホルダの表面を示す図である。
【図７】図１のコネクタのカードホルダの裏面側の斜視図である。
【図８】図１のコネクタのカードホルダの裏面側を図７とは別の角度から見た斜視図である。
【図９】図１のコネクタのカードホルダの表面側の斜視図である。
【図１０】図１のコネクタのカードホルダの裏面の前側を示す図である。
【図１１】図１０のカードホルダの斜視図である。
【図１２】図１のコネクタのコネクタ本体からシェルを取り除いてコンタクト部分を示した斜視図である。
【図１３】図１のコネクタ本体のホルダ収容部にカードホルダを左右に揺らしながら挿入する状態を示す図である。
【図１４】図１のコネクタ本体のホルダ収容部に挿入されたカードホルダの操作部とコネクタ本体が収容された筐体の挿入口との関係を示す図である。
【図１５】カードホルダの操作部の凹部にピン状のツールを引っ掛けてカードホルダをコネクタ本体から引き抜く作業を説明するための図である。
【図１６】カードホルダのカード収容部にカードが正しく収容されている状態を示す図である。
【図１７】カードホルダのカード収容部にカードが正しく収容されている状態を示す前方から見た図である。
【図１８】図１のコネクタのカードホルダの変形例のカードホルダの裏面側の斜視図である。
【図１９】図１８のカードホルダの後側を示す破断面図である。
【図２０】図１８のカードホルダのばね部のばね部側傾斜部にカードの縁部が接触している状態を示す概念図である。
【図２１】図１８のカードホルダのばね部のばね部側傾斜部によってカードの縁部が上方へ押し上げられた状態を示す概念図である。
【図２２】図１８のカードホルダのカード収容部にカードが斜めに収容されている状態を示す概念図である。
【図２３】図１８のカードホルダのカード収容部にカードが斜めに収容されている状態を前方から見た図である。
【図２４】この発明の第２実施形態に係るコネクタのカードホルダの裏面を示す図である。
【図２５】図２４のカードホルダのカード収容部にカードが収容されている状態を示す図である。
【図２６】図２４のカードホルダのカード収容部に収容されているカードとは異なる種類のカードの平面図である。
【図２７】この発明の第３実施形態に係るコネクタのカードホルダの裏面を示す図である。
【図２８】図２７のカードホルダの表面を示す図である。
【図２９】図２７のカードホルダの側面図である。
【図３０】図２７のＡ−Ａ線に沿う断面図である。
【図３１】図２７のＢ−Ｂ線に沿う断面図である。
【図３２】図２７のカードホルダのカード収容部にカードが収容されている状態を示す図である。
【図３３】この発明の第４実施形態に係るコネクタのカードホルダの裏面側の斜視図である。
【図３４】図３３のカードホルダの裏面を示す図である。
【図３５】図３４のＣ−Ｃ線に沿う断面図である。
【図３６】図３４のＤ−Ｄ線に沿う断面図である。
【図３７】図３４のＥ−Ｅ線に沿う断面図である。
【図３８】図３３のカードホルダの表面側の斜視図である。
【図３９】図３３のカードホルダの表面を示す図である。
【図４０】図３９のＦ−Ｆ線に沿う断面図である。
【図４１】図３９のカードホルダにカードを収容した状態を示す図である。
【図４２】従来のカード用コネクタのハウジング本体の平面図である。
【図４３】図４２のハウジング本体の右側面図である。
【図４４】従来のカード用コネクタのカードホルダを示す図である。
【発明を実施するための形態】
【００２８】
以下、この発明の実施の形態を図面に基づいて説明する。
【００２９】
図１〜図５に示すように、この発明の第１実施形態に係るコネクタ１は、コネクタ本体３と、コネクタ本体３にカード（板状接続対象物）２０を保持した状態で接続されるカードホルダ（ホルダ）５とを備えている。
【００３０】
コネクタ本体３は、図１４に示すように、筐体２１内に固定されたプリント基板（他の接続対象物）２２に実装される。なお、この発明の実施形態の説明の便宜上、図１４には筐体２１やプリント基板２２が部分的に示されている。コネクタ１は、カードホルダ５に保持されたカード２０(図２参照)とプリント基板２２(図１４参照)とを電気的に接続する。カード２０には、例えばＳＤ(Ｓｅｃｕｒｅ Ｄｉｇｉｔａｌ)カードやＳＩＭ(Ｓｕｂｓｃｒｉｂｅｒ Ｉｄｅｎｔｉｔｙ Ｍｏｄｕｌｅ)カード（ＩＣチップの無いタイプ）等のメモリカード、ＩＣ(Ｉｎｔｅｇｒａｔｅｄ
Ｃｉｒｃｕｉｔ)カード等が含まれる。
【００３１】
図１〜図５に示すように、コネクタ本体３は、樹脂製のハウジング２と、ハウジング２を覆う金属製のシェル３２と、カードホルダ５を収容するホルダ収容部３３と、ハウジング２に保持されたコンタクト６と、カードホルダ５を筐体２１(図１４参照)から外部へ脱出させるためのイジェクト機構３４とを備えている。この実施形態では、イジェクト機構３４として例えばいわゆるプッシュ・イン・プッシュ式の周知のイジェクト機構を用いたので、その詳しい説明を省略する。
【００３２】
コネクタ本体３のホルダ収容部３３（図１、図２参照）は、ハウジング２とシェル３２とによって囲まれた空間であり、カードホルダ５のフレーム部５１を収容する場所である。
【００３３】
コンタクト６は、図５、図１２に示すように、カード２０の電極２０Ａに接触する接触部６Ａとプリント基板２２（図１４参照）のパッド（図示せず）に接続される接続部６Ｂとを有する。接触部６Ａはホルダ収容部３３内に突出している（図１２参照）。接続部６Ｂはプリント基板２２のパッドにはんだ付けできるようコネクタ本体３の下面３２Ａから外部へ露出している（図２、図４、図５参照）。ハウジング２には、フレーム部５１がホルダ収容部３３に収容されたとき、接触部６Ａを逃がす逃がし部２Ｂが設けられている。
【００３４】
図６〜図１１に示すように、カードホルダ５は、カード２０を収容するカード収容部（板状接続対象物収容部）５１Ａを有するフレーム部５１と、カード収容部５１Ａに収容されたカード２０と対向する底部５３と、ホルダ挿入方向ＩＤにおいてフレーム部５１の後端に連結される操作部５２と、カード収容部５１Ａに収容されたカード２０をフレーム部５１の内周面に押し付けるばね部５４とを備えている。フレーム部５１と底部５３と操作部５２とばね部５４とは合成樹脂で一体成形される。
【００３５】
図５〜図８に示すように、フレーム部５１はほぼ矩形の枠体である。フレーム部５１の表面Ｈ（カード収容部５１Ａが見えない方の面）には底部５３が設けられているので、カードホルダ５はトレイ状の構造になっている。
【００３６】
フレーム部５１は前部５１Ｆと側部５１ＳＲと側部５１ＳＬと後部５１Ｒとを有する。
【００３７】
ばね部５４は側部５１ＳＬに設けられている。ばね部５４はホルダ挿入方向ＩＤへ延びる細長い板状の形状を有するばねである。ばね部５４は、フレーム部５１の側部５１ＳＬに設けられたばね部収容室５６に弾性変形可能に形成されている。ばね部５４の自由端はわずかにカード収容部５１Ａ内に入り込んでいる（図５参照）。
【００３８】
操作部５２は、フレーム部５１をホルダ収容部３３に挿入する際に指で押したり、あるいはフレーム部５１をホルダ収容部３３から引き抜いたりする際に指でつまむ部分である。
【００３９】
操作部５２の中央部付近でフレーム部５１の操作部側端部には凹部５２Ａが設けられている。操作部５２を指でつまんでフレーム部５１をホルダ収容部３３から引き抜くのが困難になったとき、図１５に示すように、ピン状のツール１０の先端部を凹部５２Ａに挿入し操作部５２の端部に引っ掛け、カードホルダ５を引き抜くことができる。なお、ピン状のツール１０の先端部を引っ掛ける場所を、フレーム部５１に設けるようにしてもよい。更に、フレーム部５１の前後方向（以下前後方向という）ＦＢに余裕があり、前後方向ＦＢに操作部５２を厚くできるときには、凹部５２Ａを操作部５２に設けてもよい。
【００４０】
図７〜図１０に示すように、フレーム部５１の前部５１Ｆには傾斜部（変形抑制部）Ｓ１，Ｓ２，Ｓ３が設けられている。傾斜部Ｓ１，Ｓ２，Ｓ３はそれぞれ前後方向ＦＢへ傾斜している。傾斜部Ｓ１と傾斜部Ｓ２との間、傾斜部Ｓ２と傾斜部Ｓ３との間にはそれぞれ、カード収容部５１Ａに収容されたカード２０の周縁部を受けるカード受け部５５が設けられている。カード受け部５５には傾斜部（変形抑制部）Ｓ４，Ｓ５が設けられている。傾斜部Ｓ４，Ｓ５はそれぞれフレーム部５１の左右方向（以下左右方向という）ＬＲへ傾斜している。
【００４１】
フレーム部５１の側部５１ＳＬの前側には傾斜部（変形抑制部）Ｓ６が設けられている。傾斜部Ｓ６は左右方向ＬＲへ傾斜している。
【００４２】
フレーム部５１の側部５１ＳＲの前側には傾斜部（変形抑制部）Ｓ７が設けられている。傾斜部Ｓ７は左右方向ＬＲへ傾斜している。
【００４３】
なお、この実施形態では、フレーム部５１の前部５１Ｆ、側部５１ＳＬの前側、及び側部５１ＳＲの前側が位置している領域Ａ１（図８参照）が、フレーム部５１の前側である。
【００４４】
カードホルダ５を用いてカード２０をコネクタ３に接続するには、まず、図７、図８に示すように、カードホルダ５を裏返して（図７、図８に示す状態）、カード収容部５１Ａにカード２０を収容する。このとき、ばね部５４の自由端をカード２０等で押圧してカード収容部５１Ａから遠ざける方向へ移動させ、カード２０をカード収容部５１Ａに収容する（図１６、図１７に示す状態）。その後、ばね部５４の復帰力によって底部５３上のカード２０が側部５１ＳＲの内周面に押し付けられる。その結果、カード２０がカード収容部５１Ａ内に保持されるので、カードホルダ５を裏返しても（図６、図９に示す状態）、カード２０はカード収容部５１Ａから落下しない。
【００４５】
次に、指で操作部５２をつまんでカードホルダ５の表面Ｈを上にし（図６、図９に示す状態）、図１に示すように、カードホルダ５のフレーム部５１をコネクタ本体３のホルダ収容部３３に挿入する。フレーム部５１がホルダ収容部３３に挿入されると（図４参照）、ホルダ収容部３３に突出していたコンタクト６の接触部６Ａがフレーム部５１の前部５１Ｆに押されて弾性変形し、ハウジング２の逃がし部２Ｂに向けて押される。このとき、コンタクト６の接触部６Ａまたは先端が逃がし部２Ｂ内に押し込まれるように構成してもよい。更に、初期状態においてコンタクト６の先端が逃がし部２Ｂ内に位置するように構成してもよい。
【００４６】
フレーム部５１がホルダ収容部３３に所定量以上挿入されたとき、フレーム部５１はイジェクト機構３４のロック部（図示せず）によってロックされ、ホルダ収容部３３内に保持され、カードホルダ５の挿入が完了する。このとき、コンタクト６の接触部６Ａの復帰力によってコンタクト６の接触部６Ａがカード２０の電極２０Ａに押し付けられる。その結果、カード２０とプリント基板２２とが電気的に接続される。
【００４７】
カードホルダ５をコネクタ本体３のホルダ収容部３３から脱出させるには、カードホルダ５の操作部５２をカード挿入方向ＩＤへ押せばよい。操作部５２が押されると、イジェクト機構３４の脱出機能が働いてカードホルダ５の大部分がコネクタ本体３から脱出するので、後は操作部５２を指でつまんでカードホルダ５を引けば、カードホルダ５の全部をホルダ収容部３３から引き抜くことができる。
【００４８】
もし、なんらかの原因によりカードホルダ５が脱出されないときは、筐体２１の挿入口２１Ａに差し込んだピン状のツール１０の先端部を凹部５２Ａに挿入し、操作部５２の端部に引っ掛け、操作部５２を引っ張ることにより、カードホルダ５をホルダ収容部３３から引き抜くことができる。
【００４９】
また、カード収容部５１Ａにカード２０が収容されていないカードホルダ５をコネクタ本体３のホルダ収容部３３から脱出させる場合、コンタクト６の接触部６Ａはカード収容部５１Ａに入り込んでいるが、カードホルダ５が脱出方向（カード挿入方向ＩＤと反対の方向）へ移動するときコンタクト６の接触部６Ａがフレーム部５１の傾斜部Ｓ１，Ｓ２，Ｓ３に入り込み、それらの傾斜部Ｓ１，Ｓ２，Ｓ３の斜面上を滑らかにスライドして逃がし部２Ｂに向けて押されるので、コンタクト６の接触部６Ａを損傷（塑性変形）させずにカードホルダ５をホルダ収容部３３から引き抜くことができる。
【００５０】
更に、図１３に示すように、カード収容部５１Ａにカード２０が収容されていないカードホルダ５又はカード収容部５１Ａにカード２０が収容されているカードホルダ５を、左右に揺らしながら（図１３の符号５７参照）、コネクタ本体３のホルダ収容部３３に挿入した場合、コンタクト６の接触部６Ａがフレーム部５１の傾斜部Ｓ４，Ｓ５，Ｓ６，Ｓ７に入り込み、その斜面上をスライドして逃がし部２Ｂに向けて押されるので、接触部６Ａの変形が抑制される。その結果、コンタクト６の接触部６Ａを損傷させずにカードホルダ５をホルダ収容部３３に挿入することができる。
【００５１】
この実施形態によれば、カードホルダ５のフレーム部５１をコネクタ本体３のホルダ収容部３３に挿入したり、ホルダ収容部３３から引き抜いたりしたとき、フレーム部５１によるコンタクト６の接触部６Ａの損傷を少なくすることができる。
【００５２】
また、ばね部５４の復帰力を利用してカード２０をカード収容部５１Ａ内に保持する
ことができるので、カードホルダ５を裏返してもカード２０はカード収容部５１Ａから落下しない。
【００５３】
更に、なんらかの原因によりホルダ収容部３３内のカードホルダ５とコネクタ本体３との間の接触力がイジェクト機構３４のホルダ脱出力を超えて、カードホルダ５がホルダ収容部３３から脱出できないとき、筐体２１の挿入口２１Ａに差し込んだピン状のツール１０の自由端を凹部５２Ａに挿入し、操作部５２の端部に引っ掛け、操作部５２を引っ張ることにより、カードホルダ５をホルダ収容部３３から引き抜くことができる。
【００５４】
次に、この発明の第１実施形態に係るコネクタ１の変形例を図１８〜図２３に基づいて説明する。
【００５５】
第１実施形態と共通する部分については同一符号を付してその説明を省略する。以下、第１実施形態との主な相違部分についてだけ説明する。
【００５６】
この変形例のカードホルダ１０５では、図１８、図１９に示すように、ばね部５４の自由端側に、ばね部側傾斜部５４Ｂが設けられている。
【００５７】
ばね部側傾斜部５４Ｂは、ばね部５４の自由端側に位置するカード２０の外周面に接触する接触部５４Ａの近傍に位置している。
【００５８】
ばね部側傾斜部５４Ｂは、カード２０がカード収容部５１Ａに斜めに収容された場合（即ち、カード２０をカード収容部５１Ａ内の適正な位置まで収容しない場合）に、カード２０をカード収容部５１Ａの外へガイドする機能と、カード２０をカード収容部５１Ａに収容するときにカード２０を押圧することで、ばね部５４を弾性変形させる機能とを有する。
【００５９】
第１実施形態のコネクタ１及び、この変形例のカードホルダ１０５では、図２２、図２３に示すように、カード２０の位置決め部２０Ｃをフレーム部５１のカード位置決め部５１Ｃ側にしないでカード２０をカード収容部５１Ａに収容すると、即ち誤ってカード２０をカード収容部５１Ａに表裏を逆（カード２０の電極２０Ａを底部側に向けて収容）に、あるいは上下逆に収容すると、カード２０がカード収容部５１Ａ内で斜めになることがある。または、カード２０をカード収容部５１Ａに収容するときに適正な位置合わせ（位置決め部２０Ｃとカード位置決め部５１Ｃとを合わせる）をして収容したが、最後までカード２０を押圧しないでカード収容部５１Ａ内に中途半端に収容した場合にも、カード２０がカード収容部５１Ａ内で斜めになることがある。このとき、左右方向ＬＲにおけるカード２０の一端が浮き上がるが、浮き上がっているか否かを目視では判別しにくい。
【００６０】
この変形例のカードホルダ１０５では、カード２０がカード収容部５１Ａに斜めに収容された場合、即ち適正に収容（図１６、図１７参照）されないとカード２０の一端のエッジがばね部側傾斜部５４Ｂに位置するので（図２０参照）、ばね部５４の復帰力がカード２０に作用して、ばね部側傾斜部５４Ｂによってカード２０がカード収容部５１Ａの外へ（図２１の矢印Ａ３の方向へ）ガイドされる（図２１参照）。その結果、カード２０の一端の浮き上がりが顕著になり、カード２０がカード収容部５１Ａに正しく収容されているか否かをユーザは目視で判別しやすい。また、この変形例ではカード２０の位置決め部２０Ｃをフレーム部５１のカード位置決め部５１Ｃ側に合わせて、即ち適正な位置合わせをしてカード２０をカード収容部５１Ａに収容するときには、カード２０を底部側に向けて押圧するだけで、ばね部側傾斜部５４Ｂの働きでばね部５４が弾性変形して、カード２０をカード収容部５１Ａ内に正しく収容することができる。
【００６１】
次に、この発明の第２実施形態に係るコネクタを図２４〜図２６に基づいて説明する。
【００６２】
第１実施形態と共通する部分については同一符号を付してその説明を省略する。以下、第１実施形態との主な相違部分についてだけ説明する。また、コネクタ本体は第１実施形態と共通するので、その説明を省略する。
【００６３】
第１実施形態のカードホルダ５では、傾斜部Ｓ１〜Ｓ７がフレーム部５１の前側にだけ設けられているが、第２実施形態のカードホルダ２０５では、図２４に示すように、傾斜部Ｓ１〜Ｓ７がフレーム部５１の後側にも設けられている。
【００６４】
また、フレーム部５１の後部５１Ｒに操作部５２が設けられていない。
【００６５】
図２６のカード２３の平面の外形とカードホルダ２０５のカード収容部５１Ａに収容されたカード２０の平面の外形とは同じであるが、カード２３のサイズはカード２０のサイズより大きい。カードホルダ２０５の平面の外形、サイズそれぞれはカード２３の平面の外形、サイズとほぼ同じであり、カードホルダ２０５の厚さはカード２３の厚さよりわずかに厚い。
【００６６】
コネクタ本体３のホルダ収容部３３に、カード２３を直接挿入することができるし、カード２３と種類の異なるカード２０をカードホルダ２０５を介して挿入することもできる。
【００６７】
なお、この実施形態では、フレーム部５１の後部５１Ｒ、側部５１ＳＲの後側、及び側部５１ＳＬの後側の位置している領域Ａ２（図２４参照）が、フレーム部５１の後側である。
【００６８】
第２実施形態によれば、カードホルダ２０５を誤って前後逆に挿入したとしても、正しく挿入したとき（カードホルダ２０５の前側から挿入したとき）と同様に、コンタクト６の接触部６Ａの損傷を少なくすることができる。
【００６９】
次に、この発明の第３実施形態に係るコネクタを図２７〜図３２に基づいて説明する。
【００７０】
第１実施形態と共通する部分については同一符号を付してその説明を省略する。以下、第１実施形態との主な相違部分についてだけ説明する。また、コネクタ本体は第１実施形態と共通するので、その説明を省略する。
【００７１】
第３実施形態のカードホルダ３０５には、図２７〜図２９に示すように、第１実施形態のカードホルダ５（図８参照）のばね部５４が採用されていない。カードホルダ３０５では、フレーム部３５１の後部３５１Ｒにカード挿入方向ＩＤへ突出するように設けられた突出部３５１１（図３１、図３２参照）と、突出部３５１１とホルダ厚さ方向ＵＤ（図３１参照）で対向する底部５３とによって、カード収容部５１Ａに収容されたカード２０を支持する。
【００７２】
また、第３実施形態のカードホルダ３０５では、図２７、図３０、図３２に示すように、傾斜部Ｓ１〜Ｓ７がフレーム部５１の前側にだけ設けられている。
【００７３】
第３実施形態によれば、第１実施形態と同様の効果を得ることができる。
【００７４】
次に、この発明の第４実施形態に係るコネクタを図３３〜図４１に基づいて説明する。
【００７５】
第１実施形態と共通する部分については同一符号を付してその説明を省略する。以下、第１実施形態との主な相違部分についてだけ説明する。また、コネクタ本体は第１実施形態と共通するので、その説明を省略する。
【００７６】
第４実施形態のカードホルダ４０５には、図３３〜図３７に示すように、底部５３が採用されていない。したがって、第４実施形態のカードホルダ４０５は上述の実施形態のようなトレイ型のカードホルダではない。カードホルダ４０５には、図３９に示すように、フレーム部４５１にカード２０の周縁部を支持する支持部４５３が設けられている。支持部４５３はフレーム部４５１の側部４５１ＳＬ、後部４５１Ｒ、側部４５１ＳＲからカード収容部５１Ａ内へ突出する突出片である。支持部４５３は、フレーム部４５１の側部４５１ＳＬから後部４５１Ｒを経て側部４５１ＳＲに連なる。なお、フレーム部４５１の後部４５１Ｒには操作部４５２が設けられている。
【００７７】
図４１に示すように、支持部４５３はカード２０の周縁部を支持する。
【００７８】
また、フレーム部４５１の表面Ｈ及び裏面Ｂの両方に変形抑制部が設けられている。
【００７９】
まず、フレーム部４５１の裏面Ｂの変形抑制部について説明する。フレーム部４５１の前部４５１Ｆには溝部（変形抑制部）Ｓ４１，Ｓ４２，Ｓ４３が設けられている。溝部Ｓ４１，Ｓ４２，Ｓ４３はそれぞれ前後方向ＦＢへ延びるほぼ半円形の溝である（図３３、図３７、図４０参照）。溝部Ｓ４１と溝部Ｓ４２との間、溝部Ｓ４２と溝部Ｓ４３との間にはそれぞれ、カード収容部５１Ａに収容されたカード２０の周縁部を受けるカード受け部５５が設けられている。カード受け部５５には傾斜部（変形抑制部）Ｓ４５が設けられている。傾斜部Ｓ４５は前後方向ＦＢへ傾斜している。溝部Ｓ４１，Ｓ４２，Ｓ４３はそれぞれ第１実施形態の傾斜部Ｓ１，Ｓ２，Ｓ３，Ｓ４，Ｓ５のように機能する。傾斜部Ｓ４５は第１実施形態の傾斜部Ｓ４，Ｓ５のように機能する。
【００８０】
フレーム部４５１の側部４５１ＳＲの前側には傾斜部（変形抑制部）Ｓ４７が設けられている。傾斜部Ｓ４７は左右方向ＬＲへ傾斜している。フレーム部４５１の側部４５１ＳＬの前側には傾斜部（変形抑制部）Ｓ４６が設けられている。傾斜部Ｓ４６は左右方向ＬＲへ傾斜している。傾斜部Ｓ４６，Ｓ４７は第１実施形態の傾斜部Ｓ６，Ｓ７のように機能する。
【００８１】
なお、フレーム部４５１の前部４５１Ｆ、側部４５１ＳＲの前側、及び側部４５１ＳＬの前側の位置している領域が、フレーム部４５１の前側に相当する。
【００８２】
次に、フレーム部３５１の表面Ｈの変形抑制部について説明する。フレーム部４５１の前部４５１Ｆには傾斜部（変形抑制部）Ｓ４８が設けられている。傾斜部Ｓ４８は前後方向ＦＢへ傾斜している（図３５、図３６参照）。
【００８３】
フレーム部４５１の側部４５１ＳＬの前側には傾斜部（変形抑制部）Ｓ４９が設けられている。傾斜部Ｓ４９は左右方向ＬＲへ傾斜している。フレーム部４５１の側部４５１ＳＲの前側には傾斜部（変形抑制部）Ｓ５０が設けられている。傾斜部Ｓ５０は左右方向ＬＲへ傾斜している。
【００８４】
傾斜部Ｓ４８は第１実施形態の傾斜部Ｓ１，Ｓ２，Ｓ３，Ｓ４，Ｓ５のように機能する。傾斜部Ｓ４９は第１実施形態の傾斜部Ｓ６のように機能する。傾斜部Ｓ５０は第１実施形態の傾斜部Ｓ７のように機能する。
【００８５】
第４実施形態によれば、フレーム部３５１の裏面Ｂに変形抑制部として溝部Ｓ４１，Ｓ４２，Ｓ４３と傾斜部Ｓ４５，Ｓ４６，Ｓ４７とが設けられ、フレーム部３５１の表面Ｈに変形抑制部として傾斜部Ｓ４８，Ｓ４９，Ｓ５０が設けられているので、カードホルダ４０５を誤って表裏逆に挿入したとしても、正しく挿入したとき（カードホルダ４０５の裏面Ｂを下にして挿入したとき）と同様に、コンタクト６の接触部６Ａの損傷を少なくすることができる。
【００８６】
なお、上述の各実施形態では、変形抑制部として傾斜部Ｓ１等や溝部Ｓ４１等を採用したが、変形抑制部はコンタクト６の接触部６Ａの変形を抑制する形状であればよく、傾斜部Ｓ１等や溝部Ｓ４１等以外にも様々な形状があり、例えば凹形状や凸形状のＲ面でもよい。
【符号の説明】
【００８７】
１：コネクタ
２：ハウジング
２Ｂ：逃がし部
３：コネクタ本体
３２:シェル
３２Ａ：下面
３３：ホルダ収容部
３４：イジェクト機構
４５３：支持部
５，１０５，２０５，３０５，４０５:カードホルダ（ホルダ）
５１，３５１，４５１：フレーム部
５１Ａ：カード収容部（板状接続対象物収容部）
５１Ｃ：カード位置決め部
５１Ｆ，３５１Ｆ，４５１Ｆ：フレーム部の前部
５１Ｒ，３５１Ｒ，４５１Ｒ：フレーム部の後部
５１ＳＬ，３５１ＳＬ，４５１ＳＬ：フレーム部の側部
５１ＳＲ，３５１ＳＲ，４５１ＳＲ：フレーム部の側部
５２，４５２：操作部
５２Ａ：凹部
５３：底部
５４：ばね部
５４Ａ：接触部
５４Ｂ：ばね部側傾斜部
５５：カード受け部
５６：ばね部収容室  
６：コンタクト
６Ａ：接触部
６Ｂ：接続部
１０：ピン状のツール
２０，２３：カード（板状接続対象物）
２０Ａ：電極
２０Ｃ：位置決め部
２１：筐体
２１Ａ：挿入口
２２：プリント基板（他の接続対象物）
Ｓ１，Ｓ２，Ｓ３，Ｓ４，Ｓ５，Ｓ６，Ｓ７，Ｓ１´，Ｓ２´，Ｓ３´，Ｓ５´，Ｓ６´，Ｓ７´，Ｓ４４，Ｓ４５，Ｓ４６，Ｓ４７，Ｓ４８，Ｓ４９，Ｓ５０：傾斜部（変形抑制部）
Ｓ４１，Ｓ４２，Ｓ４３：溝部（変形抑制部）
Ａ１，Ａ２：領域
Ａ３：矢印
Ｈ：表面
Ｂ：裏面
ＩＤ：ホルダ挿入方向
ＦＢ：前後方向
ＬＲ：左右方向
【図１】
0006044994.tif 000002
【図２】
0006044994.tif 000003
【図３】
0006044994.tif 000004
【図４】
0006044994.tif 000005
【図５】
0006044994.tif 000006
【図６】
0006044994.tif 000007
【図７】
0006044994.tif 000008
【図８】
0006044994.tif 000009
【図９】
0006044994.tif 000010
【図１０】
0006044994.tif 000011
【図１１】
0006044994.tif 000012
【図１２】
0006044994.tif 000013
【図１３】
0006044994.tif 000014
【図１４】
0006044994.tif 000015
【図１５】
0006044994.tif 000016
【図１６】
0006044994.tif 000017
【図１７】
0006044994.tif 000018
【図１８】
0006044994.tif 000019
【図１９】
0006044994.tif 000020
【図２０】
0006044994.tif 000021
【図２１】
0006044994.tif 000022
【図２２】
0006044994.tif 000023
【図２３】
0006044994.tif 000024
【図２４】
0006044994.tif 000025
【図２５】
0006044994.tif 000026
【図２６】
0006044994.tif 000027
【図２７】
0006044994.tif 000028
【図２８】
0006044994.tif 000029
【図２９】
0006044994.tif 000030
【図３０】
0006044994.tif 000031
【図３１】
0006044994.tif 000032
【図３２】
0006044994.tif 000033
【図３３】
0006044994.tif 000034
【図３４】
0006044994.tif 000035
【図３５】
0006044994.tif 000036
【図３６】
0006044994.tif 000037
【図３７】
0006044994.tif 000038
【図３８】
0006044994.tif 000039
【図３９】
0006044994.tif 000040
【図４０】
0006044994.tif 000041
【図４１】
0006044994.tif 000042
【図４２】
0006044994.tif 000043
【図４３】
0006044994.tif 000044
【図４４】
0006044994.tif 000045